(57)【要約】【課題】接触素子の厚さが薄くでき、アンテナエレメント本数を多段式とした場合であっても、最大径が大きくならない多段式伸縮アンテナの提供。【解決手段】直径を順次小さくした複数のアンテナエレメントを同心配置に組み合わせ、その半径方向に隣り合うアンテナエレメント間に介在させる接触素子を、隣り合うアンテナエレメント相互間における小径側アンテナエレメントの基端部外周に嵌合される円筒状をなし、該円筒状の内面に突設した係合突起が、前記小径側アンテナエレメントの基端部外周面に形成した係合穴に嵌合されて該小径側アンテナエレメントとの相対移動が阻止されており、該接触素子には、前記小径側アンテナエレメントの基端部開口外にて、該開口の内周縁より中心側に突出させた係止片を一体に備える。【選択図】図１
2011035730.tif 000002
【特許請求の範囲】
【請求項１】
直径を順次小さくした複数のアンテナエレメントを同心配置に組み合わせ、その半径方向に隣り合うアンテナエレメント間に接触素子を介在させて互いに軸方向に摺動可能とした多段式伸縮アンテナにおいて、
前記接触素子は、前記半径方向に隣り合うアンテナエレメント相互間における小径側アンテナエレメントの基端部外周に嵌合される円筒状をなし、該円筒状の内面に突設した係合突起が、前記小径側アンテナエレメントの基端部外周面に形成した係合穴に嵌合されて該小径側アンテナエレメントとの相対移動が阻止されており、
該接触素子には、前記小径側アンテナエレメントの基端部開口外にて、該開口の内周縁より中心側に突出させた係止片を一体に備えたことを特徴としてなる多段式伸縮アンテナ。
【請求項２】
前記接触素子は、平板状の金属板材を打ち抜き形成したものを円筒形に湾曲させた形状をなし、両端部を付き合せ配置にしたリング状部と、該リング状部より前記円筒形の中心線を中心にした対称な位置に突設した一対の胴部構成片と、該胴部構成片間にあって前記リング状部より突設された接触バネとを有し、前記胴部構成片の先端に互いに中心方向に向けて折り曲げた形状に前記係止片を一体に備えた請求項1に記載の多段伸縮式アンテナ。
【請求項３】
前記両係止片の先端に互いに係合して前記両胴部構成片間の開きを防止する係合部を備えてなる請求項２に記載の多段伸縮式アンテナ。
【請求項４】
前記係合部は、前記両係止片の一方の先端に備えた蟻溝型の凹欠部と、他方の先端に備えた前記凹欠部に嵌り合う蟻型の凸部とをもって構成してなる請求項３に記載の多段伸縮式アンテナ。
【発明の詳細な説明】
【技術分野】
【０００１】
本発明は、主として携帯電話機等の小型送受信機に使用する多段式伸縮アンテナに関する。
【背景技術】
【０００２】
一般に、携帯電話等の小型電子通信機器類に多段式伸縮アンテナが使用されている。この主の従来のアンテナは、図６に示すように、直径の異なる複数のアンテナエレメント１〜５を同心配置に互いに組合せ、半径方向に隣り合うアンテナエレメント間をそれぞれ軸方向に摺動できるよう組み立て、隣り合うアンテナエレメント間において、小径側が太径側内に収納され、必要に応じて最小径アンテナエレメント５を引き出すことによって伸長されるようにしたものが使用されている（例えば特許文献１）。
【０００３】
この種の多段式伸縮アンテナは、伸長した際に半径方向に隣り合うアンテナエレメント間において、小径側が太径側から抜け出てしまわないようにすること、同アンテナエレメント間に摺動抵抗を持たせること及び同アンテナエレメント間が所望の接触圧によって電気的接続が維持されることが必要である。
【０００４】
このため、従来は脱落防止と摺動抵抗及び接触圧確保の機能を持たせるための接触素子が使用されている。この種の接触素子は、バネ材をもって形成した円筒体を切り抜いてその胴部に提灯状のバネ部を膨出させ、この円筒体を隣り合うアンテナエレメントの小径側の端部に固定し、太径側には、端部に円筒体が抜け出ない内向きフランジ状の当接部を備えた構造のものが一般的である（例えば特許文献２）。
【０００５】
また、近年においては、携帯電話等の携帯式の送受信機の小型化とアンテナの組み立ての簡易化の目的から、図７、図８に示すように円筒を反割り状にした一対の接触素子６，６を小径側アンテナエレメントBの端部外周を掴む配置に嵌合させ、その接触素子６に形成した内面側の係止突起７をアンテナエレメントBの基端側外周に開口させた係止穴８に嵌合させることによって係止させ、その外側に太径側アンテナエレメントＡが嵌め合わされることによって接触素子６，６の脱落を防止させたものが開発されている。
【０００６】
この接触素子６，６は、その先端側が、太径側アンテナエレメント Ａの先端側に内向きフランジ状に形成したストッパー９に当接することによって小径側アンテナエレメントＢが太径側アンテナエレメントＡから抜け出ないようにしている。
【０００７】
また、接触素子６の係止突起７を、小径側アンテナエレメントＢ内に突出させることによって、小径側アンテナエレメントＢ内に挿入されている更に小径のアンテナエレメントＣの基端部に同様にして係止させた接触素子６，６が当接することによって、更に小径のアンテナエレメントＣが、小径側アンテナエレメンＢを追い越して太径側アンテナエレメントＡ内側に移動するのを防止している。
【先行技術文献】
【特許文献】
【０００８】
【特許文献１】特開平７−２０５７１４号公報
【特許文献２】特開２００３−２０９４１６号公報
【発明の概要】
【発明が解決しようとする課題】
【０００９】
上述した図７、図８に示す多段式伸縮アンテナにおいては、２本以上のアンテナエレメントを多段配置に使用する場合において、接触素子の成形及びアンテナに対する組み込み作業が容易である点において効果的であるが、係止突起７をアンテナエレメントＢの係止穴８に貫通させて該アンテナエレメントＢの内周面に突出させ、これによってその内側の更に小径のアンテナエレメントＣの追い越し収納を防止しているものであるため、係止突起７の高さを高くする必要があり、これを接触素子６のプレス加工によって形成しようとすると金属板材に一定以上の厚さが必要になり、接触素子６の厚さが大きくなり、このため多段式伸縮アンテナの径が大きくなるという問題があった。
【００１０】
また、円筒を反割りした径状の一対の接触素子を使用するものであるため、自動組み立て工程が複雑化するという問題があった。
【００１１】
本発明は、このような従来の問題に鑑み、接触素子の厚さが薄くでき、特に、例えばアンテナエレメント本数を３本以上の多段式とした場合であっても、最大径が大きくならない多段式伸縮アンテナの提供を目的としてなされたものである。
【課題を解決するための手段】
【００１２】
上述の如き従来の問題を解決し、初期の目的を達成する請求項１に記載の発明の特徴は、  直径を順次小さくした複数のアンテナエレメントを同心配置に組み合わせ、その半径方向に隣り合うアンテナエレメント間に接触素子を介在させて互いに軸方向に摺動可能とした多段式伸縮アンテナにおいて、
【００１３】
前記接触素子は、前記半径方向に隣り合うアンテナエレメント相互間における小径側アンテナエレメントの基端部外周に嵌合される円筒状をなし、該円筒状の内面に突設した係合突起が、前記小径側アンテナエレメントの基端部外周面に形成した係合穴に嵌合されて該小径側アンテナエレメントとの相対移動が阻止されており、該接触素子には、前記小径側アンテナエレメントの基端部開口外にて、該開口の内周縁より中心側に突出させた係止片を一体に備えたことにある。
【００１４】
請求項２に記載の発明の特徴は、請求項１の構成に加え、前記接触素子は、平板状の金属板材を打ち抜き形成したものを円筒形に湾曲させた形状をなし、両端部を付き合せ配置にしたリング状部と、該リング状部より前記円筒形の中心線を中心にした対称な位置に突設した一対の胴部構成片と、該胴部構成片間にあって前記リング状部より突設された接触バネとを有し、前記胴部構成片の先端に互いに中心方向に向けて折り曲げた形状に前記係止片を一体に備えたことにある。
【００１５】
請求項３に記載の発明の特徴は、請求項２の構成に加え、前記両係止片の先端に互いに係合して前記両胴部構成片間の開きを防止する係合部を備えたことにある。
【００１６】
請求項４に記載の発明の特徴は、請求項３の構成に加え、前記係合部は、前記両係止片の一方の先端に備えた蟻溝型の凹欠部と、他方の先端に備えた前記凹欠部に嵌り合う蟻型の凸部とをもって構成したことにある。
【発明の効果】
【００１７】
本発明においては、直径を順次小さくした複数のアンテナエレメントを同心配置に組み合わせ、その半径方向に隣り合うアンテナエレメント間に介在させる接触素子を、半径方向に隣り合うアンテナエレメント相互間における小径側アンテナエレメントの基端部外周に嵌合される円筒状をなし、該円筒状の内面に突設した係合突起が、前記小径側アンテナエレメントの基端部外周面に形成した係合穴に嵌合されて該小径側アンテナエレメントとの相対移動が阻止されており、該接触素子には、前記小径側アンテナエレメントの基端部開口外にて、該開口の内周縁より中心側に突出させた係止片を一体に備えたことにより、前記小径側アンテナエレメントの内周側にある更に小径のアンテナエレメントが、係止片によって収納方向の相対動作が阻止されるため、前記小径側アンテナエレメントを追い越して収納されることが無くなり、従来のように、前記係合突起のアンテナエレメント内の突出によって追い越しを防止しているものに比べ、接触素子を構成している金属板材の厚さを薄くでき、これによってこの接触素子を介在させるための隙間、即ち隣り合うアンテナエレメントの直径の差を小さくでき、多段配置の伸縮式アンテナの最外径をより小さくすることができ、アンテナエレメント数を多くしても全体の径を小さくすることができる。
【００１８】
また、本発明では、前記接触素子は、平板状の金属板材を打ち抜き形成したものを円筒形に湾曲させた形状をなし、両端部を付き合せ配置にしたリング状部と、該リング状部より前記円筒形の中心線を中心にした対称な位置に突設した一対の胴部構成片と、該胴部構成片間にあって前記リング状部より突設された接触バネとを有し、前記胴部構成片の先端に互いに中心方向に向けて折り曲げた形状に前記係止片を一体に備えたことにより、接触素子は、１つの部品によって構成され、これをアンテナエレメントの基端部に嵌め合わせることによって該アンテナエレメントから脱落することなく装着することができ、多段伸縮式アンテナの組み立てが容易となる。
【００１９】
更に本発明では、前記両係止片の先端に互いに係合して前記両胴部構成片間の開きを防止する係合部を備えることにより、板材を打ち抜き、これを円筒状に湾曲加工した後における円筒形の開きが防止されて、組み立てが容易となると共に、更なる小径のアンテナエレメントが当接した際における係止片の変形が防止できる。
【００２０】
更に本発明では、前記係合部は、前記両係止片の一方の先端に備えた蟻溝型の凹欠部と、他方の先端に備えた前記凹欠部に嵌り合う蟻型の凸部とをもって構成することによって、係合部の外れ止めが容易且つ確実になされる。
【図面の簡単な説明】
【００２１】
【図１】本発明に係る多段式伸縮アンテナにおける小径側アンテナエレメントに対して接触素子を装着した状態の斜視図である。
【図２】同多段式伸縮アンテナにおけるアンテナエレメント間に接触素子を介在させた状態を、係止片位置で縦断した状態の半断面図である。
【図３】同じく、接触バネ位置で縦断した状態の半断面図である。
【図４】本発明に係る多段式伸縮アンテナにおける接触素子の展開状態を示す平面図である。
【図５】本発明に係る多段式伸縮アンテナにおける接触素子を示しており、（Ａ）は平面図、（Ｂ）正面図、（Ｃ）は底面図、（Ｄ）は左側面図である。
【図６】本発明及び従来の多段式伸縮アンテナの伸長状態を示す正面図である。
【図７】従来の多段式伸縮アンテナの接触素子の一例示す斜視図である。
【図８】同縦断面図である。
【発明を実施するための形態】
【００２２】
次に本発明の実施の形態を図面に示した実施例に基づいて説明する。この多段式伸縮アンテナは、従来技術として図６に示したものと同じく、５本のアンテナエレメント１〜４が伸縮可能に組み立てられており、伸長時に最先端部となる最小径のアンテナエレメント５は中実の棒状のものが使用できるが、他のアンテナエレメント1〜４は中空筒状のものが使用されている。
【００２３】
この多段式伸縮アンテナにおいて、収納時即ち最縮小時に互いに半径方向に隣り合うアンテナエレメント間、換言すれば伸長時に互いに軸方向に隣り合うアンテナエレメント間（具体的にはアンテナエレメント１と２、２と３，３と４、４と５のそれぞれの間）が互いに軸方向に摺動可能に組み立てられているものであり、それぞれのアンテナエレメント間は、図１、図２に示す断面構造となっている。
【００２４】
即ち、互いに隣り合うアンテナエレメント間において、太径側アンテナエレメントＡの先端部内周側に、小径側アンテナエレメントの抜け出し防止するための内向きフランジ状をしたストッパー１１が形成され、その内側に小径側アンテナエレメントＢが挿入されている。
【００２５】
この小径側アンテナエレメントＢの基端部外周と太径側アンテナエレメントＡの内面との間に接触素子１２が介在されている。この接触素子１２は両アンテナエレメントＡ，Ｂ間の必要な電気的接触圧と、両者間の適度な摺動抵抗及び小径側アンテナエレメントＢ内に挿通される更なる小径側アンテナエレメントＣの縮小側動作時における追越防止の機能を持たせている。
【００２６】
接触素子１２は、図４に示した展開図のように金属板材を打ち抜き成形し、これをプレスによって湾曲、折り曲げ形成することによって全体が図５（Ａ）〜（D）に示す有底円筒状に形成されている。
【００２７】
この接触素子１２は、図２に示すように、半径方向に隣り合うアンテナエレメント相互間における小径側アンテナエレメントＢの基端部外周に嵌合される円筒状をなし、該円筒状の内面に突設した係合突起１８が、前記小径側アンテナエレメントＢの基端部外周面に形成した係合穴１９に嵌合されて該小径側アンテナエレメントＢとの相対移動が阻止されている。
【００２８】
接触素子１２は、その一端側にその円形方向の両端が突合せ配置となっているリング状部１３を有し、そのリング状部１３より、その中心線を中心にして対称な配置に一対の胴部構成片１４，１４が一体に形成されている。この胴部構成片１４，１４は、リング状部１３ともに同一円筒面の一部を構成しており、その胴部構成片１４，１４の先端を前記円筒の中心方向側に折り返して互いに係合する係止片１５ａ，１５ｂが一体に形成されている。この両係止片１５ａ，１５ｂ間が係合部によって互いに係合されている。
【００２９】
この係合部は、両係止片の内、一方側の係止片１５ａの先端に形成された蟻溝型の凹欠部１６ａと、他方の係止片１５ｂの先端に形成された前記凹欠部１６ａに嵌り合う蟻型の凸部１６ｂとから構成され、凹欠部１６ａ内に凸部１６ｂを嵌め合わせることによって、板材を湾曲させて形成されている円筒形が拡開されないようになっている。
【００３０】
この両胴部構成片１４，１４の円周方向両側の間には、即ち図４に示す展開図において、リング状部１３を構成している部分の中央部分と、両端部分には、接触バネ１７ａ，１７ｂ，１７ｂが胴部構成片１４と平行な配置に突設されている。この接触バネ１７ａ，１７ｂは中央部分が接触素子半径方向外側に膨出された凸形に湾曲され、その凸形の頂部が太径側アンテナエレメントＡに対する接点となっている。
【００３１】
一方の胴部構成片１４の内周面に、前述した係合突起１８が突設されており、これが小径側アンテナエレメントＢの基端部外周に形成された係合穴１９に係合されている。これによって小径側アンテナエレメントＢに対する接触素子１２の相対移動が阻止されている。
【００３２】
この接触素子１２は、図１及び図５（Ｄ）に示すように、係止片１５ａ，１５ｂの凹欠部１６ａと凸部１６ｂを互いに嵌合させて胴部構成片１４，１４の先端間を開き止めした状態で、前記係止片１５ａ，１５ｂを小径側アンテナエレメントＢの基端側開口部外に位置させた状態にして該小径側アンテナエレメントＢの基端部外周に嵌合させ、係合突起１８を係合穴１９に嵌合させる。この状態で太径側アンテナエレメントＡ内に挿入する。
【００３３】
この組み立て状態において、接触素子１２のリング状部１３の素子端部側縁部が太径側アンテナエレメントＡのストッパー１１に当接して抜け止めされ、接触バネ１７ａ，１７ｂの弾性によって太径側、小径側の両アンテナエレメントＡ，Ｂ間の適度な電気接続のための接触圧が発揮されるとともに、両アンテナエレメントＡ，Ｂ間が軸方向に摺動する際に適度な摺動抵抗が得られるようにしている。
【００３４】
また、小径側アンテナエレメントＢの基端の開口部２０には、係止片１５ａ，１５ｂが該開口に掛け渡されている状態となっており、小径側アンテナエレメントＢの内部に更なる小径側アンテナエレメントＣが存在するアンテナエレメント間においては、アンテナエレメントＣの基端部に嵌合した接触素子１２が係止片１５ａ，１５ｂに当接し、アンテナエレメントＢの基端部より先には収納方向へ移動できないようになっており、これによって小径側が太径側の追い越しが防止されるようになっている。
【符号の説明】
【００３５】
Ａ  太径側アンテナエレメント
Ｂ  小径側アンテナエレメント
Ｃ  更なる小径側アンテナエレメント
１〜５  アンテナエレメント
１１  ストッパー
１２  接触素子
１３  リング状部
１４  胴部構成片
１５a，１５b  係止片
１６ａ  凹欠部
１６ｂ  凸部
１７ａ，１７ｂ  接触バネ
１８  係合突起
１９  係合穴
２０  開口部
【図１】
2011035730.tif 000003
【図２】
2011035730.tif 000004
【図３】
2011035730.tif 000005
【図４】
2011035730.tif 000006
【図５】
2011035730.tif 000007
【図６】
2011035730.tif 000008
【図７】
2011035730.tif 000009
【図８】
2011035730.tif 000010